(57)【要約】      （修正有）【課題】側面から光を入れて表示体側に光を射出するために高精度で緻密で高価なプリズムの作り込を必要としない、フレキシート型フィットライトを提供する。【解決手段】基本となる構造として透明ゲルシート２１の側面にLED光源２０を配置した構造で、2つの部品のみで構成される。透明ゲルシートの粘着性を利用して照明したい表示体２３に貼り付けることで、表示体表面の凸凹がゲルシートに転写し、高精度で緻密で高価なプリズムと同じ機能を発現し、表示体を照明する。【選択図】図６
2018006065.tif 000002
【特許請求の範囲】
【請求項１】
プリズムなどの形状を持たない透明なゲルシートの側面に、LEDなどの光源を配置した構造であることを特徴とする。
【請求項２】
上記構成した、フレキシート型フィットライトは、ゲルシートの粘着性を利用し、表示体に貼り付け使用することを特徴とする。
【請求項３】
表示体に貼り付けたフレキシート型フィットライトには、ゲルシートの特性により表示体側の表面の凹凸が転写し、プリズムと同じ機能が発現することになる。本品は、ゲルシートを表示体に貼り付けるだけで、必然的に、表示体を照明する構造が形成されることを特徴とする。従って、緻密で高価なプリズムの作り込みの必要が無く、安価に表示体の照明を実現できる。
【請求項４】
本フロントライトの導光板に当たるゲルシートには、プリズムなどの形状をつけていない為、透明度が高く、DVDディスクで見られる様な虹色の干渉縞の発現が無いため、従来のフロントライトに比べ、格段に画質や見栄えが向上できることを特徴とする。
【請求項５】
フレキシート型フィットライトの導光板に相当するゲルシートは、柔軟なシートであるため、表示体が平面でなく、湾曲していても、表示体の形に合わせフィットさせ照明することができることを特徴とする。
【請求項６】
フレキシート型フィットライトは、表示体に貼り付けて使うため、従来フロントライトの問題であった表面反射が生じない為、表示体のコントラストを低下させ白っぽくさせる現象が生じないことを特徴とする。
【発明の詳細な説明】
【技術分野】
【０００１】
本発明は、LEDや冷陰極管などを光源として平面から湾曲した表示体などの形状に合わせ、フレキシブルに変形し照明できる面型照明装置である。本フレキシート型フィットライトは、表示体に貼り付けるだけで、面型の照明機能を発現するので、看板、標識、平面でない車体などに表示された広告の照明装置として好適なものである。特に現状、夜に視認できなくなる表示体全般に有効である。
【背景技術】
【０００２】
現在の表示体は、一般的に昼も夜も表示させたい場合、LEDやランプなどを使った照明装置を内臓したり、外付けしたりと最初から作り込みが必要である。自動車などに描かれた広告や社名などへの照明になると、照明装置が突起物となるため、取り付けることは不可能となっている。
【０００３】
現在主流の面型照明は、液晶ディスプレイ（テレビ、パソコン、スマートフォンなど）に組み込まれているバックライトである。このバックライトの方式には、直下型とエッジライト型の2種類あり、構造的に厚くなるが安い価格を求めるなら直下型を選定し、薄さを追求するなら価格は高くなるが、エッジライト型を選択するのが一般的である。直下型は、文字通りLEDなどの光源を表示体の直下に配置して直接照明する方式である。エッジライト型は、導光板の側面に光源を配置し、導光板全面に形成されたプリズムや拡散体で光路を表示体方向に切り替えることで照明する仕組みである。バックライト用導光板は、表示体の裏面に配置するので、透明でなくても良い。
【０００４】
しかし、このバックライトは、表示体の裏から光を当て照明する方式のため、表示体自体が光を透過しないものや、表示体の裏に照明装置を組み込めないものについては、用いることができない。
【０００５】
この表示体が光を透過しないものや、表示体の裏に照明装置を組み込めないものについては、表示体の表側から照明することが必要である。10年程前までは、このような表示体の照明装置として、フロントライト方式が用いられていた。フロントライト方式は、表示体の大きさと同じ透明な導光板を、表示体の表面に配置する構造である。フロントライトは、導光板越しに表示体を見る必要があることから、エッジライト型が用いられている。導光板側面から伝搬した光は、導光板表面全面に形成された100μm以下の目に見えないほど細かいプリズムに光が当たることで、光路が表示体側へ変り、明るく照らすことができる仕組みである。
この従来のフロントライトでは、表示体側へ光路を変えるための、微細なプリズムの形成や、均一に照明するためにプリズムの密度を光源から正確に計算して配置しなければならなかった。
【０００６】
従来のフロントライトは、反射型液晶ディスプレイや電子ブックを照明するために用いられていたため、表示体の形状に沿うようなフレキシブルなものは、存在していなかった。
【先行技術文献】
【特許文献】
【０００７】
【特許文献１】特許4198975
【発明の概要】
【発明が解決しようとする課題】
【０００８】
フロントライトの場合、均一に表示体を照明するには、微細なプリズムの形成が必要になること、導光板厚み制御が数十μm以下のバラツキに抑えることなど、高度な製造を必要とし、コスト高の要因となっていた。
また、性能上は、微細なプリズムが、形成されていることから、角度によっては、DVDディスクの表面に現れると同じ虹色の干渉縞が出現し、外観的な見栄えを悪くしていた。
また、反射型液晶ディスプレイや電子ブックなどは平面のものしか無かったため、フロントライトも平面のものしか存在していなかった。湾曲した表示体へは、従来フロントライトの場合、プリズム配置密度やプリズム形状の変更が伴うことがあり市販された事例は無い。このように、従来フロントライトには、課題が多く含まれていたため、10年程前に市場から姿を消している。
しかし、フロントライトには、バックライトの1/20で済む僅かな照明パワーと、外光があれば照明しなくて済む省電力と言う有用な点があり、上記の課題を解決し、この有用な点を兼ね備えたフロントライトを提供する。
【課題を解決するための手段】
【０００９】
上述した課題を解決し、上記目的を達成するために、本発明に係るフロントライト装置は、エッジライト型フロントライトを実現するための、導光板の役割を持つ透明でフレキシブルな粘着性のあるシートと、その側面に配置されるLEDなどの光源の2点で構成されていることを特徴とする。以降、この構成のフロントライト装置を、フレキシート型フィットライトと呼ぶことにする。
フレキシート型フィットライトを照明したい表示体に貼り付けると、印刷されたインクなどの凸凹がプリズムの役割を果し、表示体側に光が射出されることになる。導光板自体に微細なプリズムを形成することなく、表示体側に照明光を射出することができる従来に無い方式である。
【発明の効果】
【００１０】
本フレキシート型フィットライトは、LEDと透明ゲルシートの部品点数2点で簡単に構成できるシンプルな構造であること。導光板の様な高度なプリズムの設計や微細なプリズムの作り込みを必要としないため、高額な金型の製作も必要とせず、低コストで生産できる。表示体との間にエアギャップを必要としない為、表示体との間に表面反射光がほとんど発生しないので、表示体のコントラストを落とさない。さらに、導光板に微細なプリズムが無いことで、導光板自体のプリズム効果によって起こっていた虹色の表面反射光が観察者側に射出しないので、画質や見栄えを、劣化させることが無い。
また、柔軟なゲルシートを使うことにより、平面だけでなく自動車などの湾曲した面へもフィットさせることができる。
その他、ゲルシート自身は粘着性があり、繰り返し貼り付けたり剥がしたりの作業も表示体へのダメージなしに、容易に行うことが可能である。繰り返し利用可能な商品にできる。
【図面の簡単な説明】
【００１１】
【図１】フレキシート型フィットライトの装着例    図１は、フレキシート型フィットライトを自動車のボディーに貼り付けた実使用状態のイメージ図である。ゲルシートの粘着力により貼りつけることが可能で、走行中の雨、風、振動でも剥がれることが無い十分な食付きがある。また、剥がす時にボディーへのダメージは一切ないので、繰り返しの装着を可能にしている。
【図２】フレキシート型フィットライトの正面図    図2は、フレキシート型フィットライトの正面図で、観察者が観察する面である。
【図３】フレキシート型フィットライトの断面図    図3は、フレキシート型フィットライトの断面図で、表示体の上に本品が張り付いた状態を示す。ゲルシートの側面にLEDが配置された構造となっている。
【図４】フレキシート型フィットライトの斜図  図4は、表示体に貼り付けたフレキシート型フィットライトの斜図で、薄い本品が表示体に貼り付く形なので、突起物が無く、ステッカーなどの扱いとほとんど変わらないことが分かる。
【図５】フレキシート型フィットライト単独での光線断面図    図５は、フレキシート型フィットライトを、表示体に貼り付けない状態での光線断面図である。透明ゲルシートにはプリズムなどの形状が無いため、LEDの光は外に射出せず伝搬する様子を示している。
【図６】フレキシート型フィットライトを表示体に貼り付けた時の光線断面図      図５は、フレキシート型フィットライトを、表示体に貼り付けた状態での光線断面図である。透明ゲルシートは、表示体の凸凹に貼りつくことで、プリズムと同じ現象が発現し、LEDの光が表示体側に射出される様子を示している。
【図７】フレキシート型フィットライトの実施形状例  図７は、本発明フレキシート型フィットライトの実施形状の例を示した。本発明フレキシート型フィットライトの形状は、図7に示す形状以外にも、あらゆる形状が取り得ることを特徴としている。
【図８】フレキシート型フィットライトの実施例  図８は、フレキシート型フィットライトの表示体と張り合わせる反対の面に、保護シート３６を張り合わせている。これは、ゲルシート３５が粘着性を持つため、汚れなどの吸着を防止するのに効果的である。従って、このような日常のメンテナンス性を向上させるために、付加することも考えられる。また、この保護シートには、反射防止機能を付加することで、表面反射が激減するので、昼間の表示体のコントラストの劣化を抑えることが可能とできる。
【図９】フレキシート型フィットライトの実施例  図９は、本発明フレキシート型フィットライトの実施例で、屋外で使用する場合LEDなどの電気部品が直接雨風にさらされると故障の原因となる。その為、図９に示す様に、ゲルシート３８に溝３９を作りそこにLED３７を埋め込んでしまうことで、シールドでき、雨風の侵入を防ぐことができる。
【発明を実施するための形態】
【００１２】
本発明のフレキシート型フィットライトは、LEDあるいはLEDアレイを光源とし、ゲルシートの側面からほとんどの光がゲルシート内に入射出来る様に配置する。ゲルシート自体には、光を射出するためのプリズムなどの構造体は形成されていないので、この状態だとLEDを配置した反対側の側面から光が射出するだけで、表示体を照明することはできない。しかし、ゲルシートは、粘着性があり、隙間なく表示体に張り付く特性を持っている。このゲルシートの特性を利用し、表示体こに貼り付けると、ゲルシートには表示体表面の凹凸が転写され、光を射出するプリズムと同じ機能が発現し、表示体を照明することができる。
また、ゲルシートは柔軟な材質なので、平面だけでなく湾曲面にもフィットする。平面でない自動車のボディーなどに描かれた広告や社名などを照明するのにも最適である。
貼付けることで面型照明装置となることを特徴としている。ゲルシートは何度も貼ったり剥がしたりしても水で汚れを落とせば、粘着力が復元できるので、繰り返しの使用に耐えることができる。
この様なゲルシートの側面にLEDを配置したものが、本発明のフレキシート型フィットライトである。
【実施例】
【００１３】
図１は、本発明フレキシート型フィットライトを自動車のボディーに装着した図である。ボディー側に広告や社名などが描かれてあれば、本発明フレキシート型フィットライトで証明でき、夜間の照明はより目立つので、宣伝効果をさらに高めることができる。
ここでは1つの応用として、自動車を上げたが、図６に示す様に、表示体に貼り付けるだけで、照明装置になることから、この他にも夜間の自転車の安全確保に自転車のフレームに装着したり、看板、表札、標識などに装着したりと応用範囲は広い。また、図７に示す様に、フレキシート型フィットライトは、幅広いサイズや形状に対応できることから、LEDやLEDアレイのサイズを選べば表示体のサイズや形状に合わせてカッティングして装着することも可能である。
図８は、フレキシート型フィットライトに使われているゲルシートは、粘着性があり、汚れを吸着しやすい。このため表面を保護シートで覆い汚れの吸着を防止する機能を盛り込むことも可能である。さらにこの保護シートに反射防止機能を盛り込むと、日中の外光の表面反射を抑えられるので、表示体のコントラストの劣化を抑えることができる。
その他、自動車、自転車、表札、標識、看板などは、屋外での使用となる。この場合、雨風に耐える構造が必要である。図９は、電気部品のLEDをゲルシートの溝に埋め込婿とで、防水機能を高めることができる。この構造にすることで、応用範囲がさらに広がると考えられる。
表示体の表面が透明な材質でコーティングされている場合には、表面が平坦で凸凹が無いためフレキシート型フィットライトを貼り付けても、プリズムの効果が発現せず、表示体側に光が射出しないのではないかと考えてしまうが、表示体の一般的な透明なコーティング材は、屈折率が１．５程度で、ゲルシートとの屈折率差が小さいので、光から見るとゲルシートと透明コーティング材は一体化し、透明コーティング材の下の形状によって、表示体側に光が射出し、問題なく照明ができる。
その他、本発明フレキシート型フィットライトは、表示体を照明する用途だけではなく、LEDの色やサイズ、ゲルシートの色や形状をさまざまに工夫することで、自動車の内装や外装、家の内装や外装など、どこにでも貼り付けて、イルミネーションによる各種ドレスアップを楽しむことができる商品として提供できる。
さらに、本発明フレキシート型フィットライトは、自己粘着力で張り付いているだけなので、外す時にも、下地の損傷が無く、簡単に外すことができる。色々なタイプを繰り返し試すことが容易な商品である。
【産業上の利用可能性】
【００１４】
本発明フレキシート型フィットライトは、ゲルシートによりどこにでも貼り付けることができるので、自動車、自転車、表札、標識、看板、屋外照明、屋内照明、必要な部分に柔らかい間接照明として利用できる。
【符号の説明】
【００１５】
10・・・フレキシート型フィットライト（本発明品装着例）
11、１３、１５、１７、２０、２４、２６、２８、３０、３２、３４、３７、４１・・・LEDおよびLEDアレイ
１２、１４、１６、２１、２６、２９、３１、３３、３５、３８、４２・・・透明ゲルシート
１９、２２・・・伝搬光線
２３、４０、４３・・・表示体
３６、・・・表面保護シート
３９・・・溝
【図１】
2018006065.tif 000003
【図２】
2018006065.tif 000004
【図３】
2018006065.tif 000005
【図４】
2018006065.tif 000006
【図５】
2018006065.tif 000007
【図６】
2018006065.tif 000008
【図７】
2018006065.tif 000009
【図８】
2018006065.tif 000010
【図９】
2018006065.tif 000011